(57)【要約】【課題】異なる電力線ダクトに接続された端末装置間での電力線搬送通信を可能とする電力線通信システムを提供する。【解決手段】分電盤１０及び電力線ダクト２０を電気的に接続するフィードイン３０と、電力線ダクト２０及び端末装置１００を電気的に接続し、端末装置１００から送信された通信データをＰＬＣ信号に変換して電力線ダクト２０に送信すると共に、電力線ダクト２０に流れるＰＬＣ信号を受信し、受信したＰＬＣ信号をＬＡＮ信号に変換して端末装置１００に送信するＰＬＣプラグ６０とを備え、フィードイン３０は、ＰＬＣプラグ６０よりも分電盤１０側に接続されており、分電盤１０へのＰＬＣ信号の漏洩を阻止するブロッキングフィルタ３２と、電力線ダクト２０に流れるＰＬＣ信号を、ＬＡＮ信号に変換し、ＬＡＮ４０を介して他の電力線ダクト２０に接続されたフィードイン３０に送信する通信部３４とを備える。【選択図】図１
2008182634.tif 000002
【特許請求の範囲】
【請求項１】
分電盤と、
前記分電盤から分配される電力が送電される電力線を含む複数の電力線ダクトと、
前記分電盤及び前記電力線ダクトを電気的に接続するフィードインと、
前記電力線ダクト及び端末装置を電気的に接続し、前記端末装置から送信された通信データを電力線搬送通信信号に変換して前記電力線ダクトに送信すると共に、前記電力線ダクトに流れる電力線搬送通信信号を受信し、受信した電力線搬送通信信号を復調して前記端末装置に送信するＰＬＣプラグとを備え、
前記フィードインは、前記ＰＬＣプラグよりも前記分電盤側に接続されており、前記分電盤への電力線搬送通信信号の漏洩を阻止するブロッキングフィルタと、前記電力線ダクトに流れる電力線搬送通信信号を、通信路を介して他の電力線ダクトに接続されたフィードインに送信する通信部とを備えることを特徴とする電力線通信システム。
【請求項２】
前記通信路は、ＬＡＮにより構成され、
前記フィードインにおける通信部は、前記電力線ダクトを流れる電力線搬送通信信号をＬＡＮ信号に変換して前記ＬＡＮに送信すると共に、前記ＬＡＮを介して受信したＬＡＮ信号を電力線搬送通信信号に変換して前記電力線ダクトに送信することを特徴とする請求項１記載の電力線通信システム。
【請求項３】
前記通信路は、ツイストペアケーブルにより構成され、
前記フィードインにおける通信部は、前記電力線ダクトに流れる電気信号から電力線搬送通信信号を抽出して前記ツイストペアケーブルに流すと共に、前記ツイストペアケーブルに流れる電気信号から電力線搬送通信信号を抽出して前記電力線ダクトに流すコンデンサから構成されることを特徴とする請求項１記載の電力線通信システム。
【請求項４】
前記電力線ダクトは、前記フィードインが着脱可能に接続されるフィードイン接続部を備え、
前記フィードインは、前記フィードイン接続部が着脱可能に接続されるダクト接続部と、前記分電盤からの電力線が接続される入線部とを備え、
前記入線部は、前記フィードイン接続部と同一構造を有し、
前記フィードインは、前記入線部に、前記分電盤からの電力線が接続された既存フィードインが接続され、前記既存フィードインを介して前記分電盤に接続されていることを特徴とする請求項１〜３のいずれか１項に記載の電力線通信システム。
【請求項５】
前記電力線ダクトは、前記ＰＬＣプラグが着脱可能に接続されるプラグ接続部を備え、
前記フィードインは、前記分電盤からの電力線が接続される入線部と、前記プラグ接続部が着脱可能に接続されるダクト接続部とを備えることを特徴とする請求項１〜３のいずれか１項に記載の電力線通信システム。
【請求項６】
前記分電盤を収納する筐体を更に備え、
前記フィードイン及び前記通信路は、前記筐体内部に配設されていることを特徴とする請求項１〜３のいずれか１項に記載の電力線通信システム。
【請求項７】
分電盤と、
前記分電盤から分配される電力が送電される電力線を備える複数の電力線ダクトと、
前記電力線ダクトと着脱可能に接続され、前記分電盤及び前記電力線ダクトを電気的に接続するフィードインと、
前記電力線ダクトに着脱可能に接続され、前記電力線ダクト及び端末装置を電気的に接続し、前記端末装置から送信された通信データを電力線搬送通信信号に変調して前記電力線ダクトに送信すると共に、前記電力線ダクトに流れる電力線搬送通信信号を受信し、受信した電力線搬送通信信号を復調して前記端末装置に送信するＰＬＣプラグと、
前記電力線ダクトに着脱可能に接続され、通信路及び前記電力線ダクトを電気的に接続する通信プラグとを備え、
前記フィードインは、前記ＰＬＣプラグ及び前記通信プラグよりも前記分電盤側に接続され、前記分電盤への電力線搬送通信信号の漏洩を阻止するブロッキングフィルタを備え、
前記通信プラグは、前記電力線ダクトに流れる電力線搬送通信信号を、前記通信路を介して他の電力線ダクトに接続された通信プラグに送信すると共に、前記通信路を介して受信した電力線搬送通信信号を前記電力線ダクトに送信する通信プラグとを備えることを特徴とする電力線通信システム。
【請求項８】
前記通信路はツイストペアケーブルにより構成され、
前記通信プラグは、
前記ツイストペアケーブルが接続される通信端子と、
前記電力線ダクトに流れる電気信号から電力線搬送通信信号を抽出して前記ツイストペアケーブルに流すと共に、前記ツイストペアケーブルに流れる電気信号から電力線搬送通信信号を抽出して前記電力線ダクトに流すコンデンサと、
前記通信端子及び前記コンデンサの間に接続され、前記電力線ダクトと前記ツイストペアケーブルとのインピーダンスを整合させるインピーダンス変換部とを備えることを特徴とする請求項７記載の電力線通信システム。
【発明の詳細な説明】
【技術分野】
【０００１】
本発明は、電力を送電する電力線ダクトを用いた電力線通信システムに関するものである。
【背景技術】
【０００２】
特許文献１には、分電盤と、分電盤に接続された電路用ダクト（電力線ダクト）と、電力線ダクトに接続されたプラグと、プラグを介して電力線ダクトに接続された照明機器と、プラグを介して電力線ダクトに接続された集中監視盤と、電力線ダクト及び分電盤間に接続された信号漏洩阻止フィルタとを備え、照明器具等の移設、増改設等を簡単に行うことができる電力線通信システムが開示されている。
【特許文献１】特開昭５３−０８４１９５号公報
【発明の開示】
【発明が解決しようとする課題】
【０００３】
しかしながら、特許文献１の電力線通信システムにおいては、信号漏洩阻止フィルタが分電盤及び電力線ダクト間に挿入されているため、同じ電力線ダクト上に接続された端末装置間では電力線搬送通信を行うことが可能であるが、異なる電力線ダクトに接続された端末装置間では電力線搬送通信を行うことができないという問題があった。
【０００４】
本発明の目的は、異なる電力線ダクトに接続された端末装置間での電力線搬送通信を可能とする電力線通信システムを提供することである。
【課題を解決するための手段】
【０００５】
本発明による電力線通信システムは、分電盤と、前記分電盤から分配される電力が送電される電力線を含む複数の電力線ダクトと、前記分電盤及び前記電力線ダクトを電気的に接続するフィードインと、前記電力線ダクト及び端末装置を電気的に接続し、前記端末装置から送信された通信データを電力線搬送通信信号に変調して前記電力線ダクトに送信すると共に、前記電力線ダクトに流れる電力線搬送通信信号を受信し、受信した電力線搬送通信信号を復調して前記端末装置に送信するＰＬＣプラグとを備え、前記フィードインは、前記ＰＬＣプラグよりも前記分電盤側に接続されており、前記分電盤への電力線搬送通信信号の漏洩を阻止するブロッキングフィルタと、前記電力線ダクトに流れる電力線搬送通信信号を、通信路を介して他の電力線ダクトに接続されたフィードインに送信する通信部とを備えることを特徴とする（請求項１）。
【０００６】
この構成によれば、ＰＬＣプラグは、端末装置から出力された通信データを電力線搬送通信信号に変調し、電力線ダクトに送信する。当該電力線ダクトに接続されたフィードインは、電力線搬送通信信号を通信路を介して他の電力線ダクトに接続されたフィードインに送信する。当該他の電力線ダクトに接続されたフィードインは、受信した電力線搬送通信信号を当該他の電力線ダクトに送信する。当該他の電力線ダクトに接続されたＰＬＣプラグは、受信した電力線搬送通信信号を復調し、端末装置に送信する。
【０００７】
ここで、フィードインはＰＬＣプラグよりも分電盤側に接続され、分電盤側に電力線搬送通信信号が漏洩することを阻止するブロッキングフィルタと、電力線搬送通信信号を通信路を介して他の電力線ダクトに接続されたフィードインに送信する通信部とを備えている。従って、電力線搬送通信信号が分電盤側に漏洩することを阻止しつつ、異なる電力線ダクトに接続された端末装置間での電力線搬送通信を可能とする電力線通信システムを提供することができる。
【０００８】
また、前記通信路は、ＬＡＮにより構成され、前記フィードインにおける通信部は、前記電力線ダクトを流れる電力線搬送通信信号をＬＡＮ信号に変換して前記ＬＡＮに送信すると共に、前記ＬＡＮを介して受信したＬＡＮ信号を電力線搬送通信信号に変換して前記電力線ダクトに送信することが好ましい（請求項２）。
【０００９】
この構成によれば、異なる電力線ダクトに接続されたフィードインは、ＬＡＮを介して接続され、フィードインにおける通信部は、電力線ダクトを流れる電力線搬送通信信号をＬＡＮ信号に変換してＬＡＮに送信すると共に、ＬＡＮを介して受信したＬＡＮ信号を電力線搬送通信信号に変換して電力線ダクトに送信する。そのため、異なる電力線ダクトに接続された端末装置間において高速に通信データを送受信することができる。
【００１０】
また、前記通信路は、ツイストペアケーブルにより構成され、前記フィードインにおける通信部は、前記電力線ダクトに流れる電気信号から電力線搬送通信信号を抽出して前記ツイストペアケーブルに流すと共に、前記ツイストペアケーブルに流れる電気信号から電力線搬送通信信号を抽出して前記電力線ダクトに流すコンデンサから構成されることが好ましい（請求項３）。
【００１１】
この構成によれば、コンデンサ及びツイストペアケーブルといった簡便な構成を用いて、異なる電力線ダクトに接続された端末装置間で通信データを送受信させることができる。
【００１２】
また、前記電力線ダクトは、前記フィードインが着脱可能に接続されるフィードイン接続部を備え、前記フィードインは、前記フィードイン接続部が着脱可能に接続されるダクト接続部と、前記分電盤からの電力線が接続される入線部とを備え、前記入線部は、前記フィードイン接続部と同一構造を有し、前記フィードインは、前記入線部に、前記分電盤からの電力線が接続された既存フィードインが接続され、前記既存フィードインを介して前記分電盤に接続されていることが好ましい（請求項４）。
【００１３】
この構成によれば、フィードインは、電力線ダクトのフィードイン接続部が着脱可能に接続されるダクト接続部と分電盤からの電力線が接続される入線部とを備え、入線部はフィードイン接続部と同一構造を有している。そのため、既存フィードインと既存の電力線ダクトとの間にフィードインを挿入するといった簡便な作業により、異なる電力線ダクトに接続された端末装置間での電力線搬送通信を可能とする電力線通信システムを構築することができる。
【００１４】
また、前記電力線ダクトは、前記ＰＬＣプラグが着脱可能に接続されるプラグ接続部を備え、前記フィードインは、前記分電盤からの電力線が接続される入線部と、前記プラグ接続部が着脱可能に接続されるダクト接続部とを備えることが好ましい（請求項５）。
【００１５】
この構成によれば、フィードインは、電力線ダクトが備えるプラグ接続部に着脱可能なダクト接続部を備えるため、電力線ダクトのプラグ接続部にフィードインを容易に接続することが可能となり、異なる電力線ダクトに接続された端末装置間での電力線搬送通信を可能とする電力線通信システムを容易に構築することができる。
【００１６】
また、前記分電盤を収納する筐体を更に備え、前記フィードイン及び前記通信路は、前記筐体内部に配設されていることが好ましい（請求項６）。
【００１７】
この構成によれば、分電盤を収納する筐体内にフィードイン及び通信路が配設されるため、フィードイン及び通信路の設置スペースを節約することができると共に、通信路の距離が短くなり、通信の信頼性を高めることができる。
【００１８】
また、本発明の電力線通信システムは、分電盤と、前記分電盤から分配される電力が送電される電力線を備える複数の電力線ダクトと、前記電力線ダクトと着脱可能に接続され、前記分電盤及び前記電力線ダクトを電気的に接続するフィードインと、前記電力線ダクトに着脱可能に接続され、前記電力線ダクト及び端末装置を電気的に接続し、前記端末装置から送信された通信データを電力線搬送通信信号に変調して前記電力線ダクトに送信すると共に、前記電力線ダクトに流れる電力線搬送通信信号を受信し、受信した電力線搬送通信信号を復調して前記端末装置に送信するＰＬＣプラグと、前記電力線ダクトに着脱可能に接続され、通信路及び前記電力線ダクトを電気的に接続する通信プラグとを備え、前記フィードインは、前記ＰＬＣプラグ及び前記通信プラグよりも前記分電盤側に接続され、前記分電盤への電力線搬送通信信号の漏洩を阻止するブロッキングフィルタを備え、前記通信プラグは、前記電力線ダクトに流れる電力線搬送通信信号を、前記通信路を介して他の電力線ダクトに接続された通信プラグに送信すると共に、前記通信路を介して受信した電力線搬送通信信号を前記電力線ダクトに送信する通信プラグとを備えることを特徴とする（請求項７）。
【００１９】
この構成によれば、ＰＬＣプラグは、端末装置から送信された通信データを電力線搬送通信信号に変調し、電力線ダクトに送信する。当該電力線ダクトに接続された通信プラグは、電力線搬送通信信号を通信路を介して他の電力線ダクトに接続された通信プラグに送信する。当該他の電力線ダクトに接続された通信プラグは、受信した電力線搬送通信信号を当該他の電力線ダクトに送信する。当該他の電力線ダクトに接続されたＰＬＣプラグは、受信した電力線搬送通信信号を復調し、端末装置に送信する。
【００２０】
ここで、フィードインはＰＬＣプラグ及び通信プラグよりも分電盤側に接続され、分電盤側に電力線搬送通信信号が漏洩することを阻止するブロッキングフィルタを備えている。従って、電力線搬送通信信号が分電盤側に漏洩することを阻止しつつ、異なる電力線ダクトに接続された端末装置間での電力線搬送通信を可能とする電力線通信システムを提供することができる。
【００２１】
また、前記通信路はツイストペアケーブルにより構成され、前記通信プラグは、前記ツイストペアケーブルが接続される通信端子と、前記電力線ダクトに流れる電気信号から電力線搬送通信信号を抽出して前記ツイストペアケーブルに流すと共に、前記ツイストペアケーブルに流れる電気信号から電力線搬送通信信号を抽出して前記電力線ダクトに流すコンデンサと、前記通信端子及び前記コンデンサの間に接続され、前記電力線ダクトと前記ツイストペアケーブルとのインピーダンスを整合させるインピーダンス変換部とを備えることが好ましい（請求項８）。
【００２２】
この構成によれば、ツイストペアケーブルと電力線ダクトの電力線とのインピーダンスを整合させることが可能となり、通信の信頼性をより高めることができる。
【発明の効果】
【００２３】
本発明によれば、電力線搬送通信信号が分電盤側に漏洩することを阻止しつつ、異なる電力線ダクトに接続された端末装置間での電力線搬送通信を可能とする電力線通信システムを提供することができる。
【発明を実施するための最良の形態】
【００２４】
以下本発明の実施の形態による電力線通信システムについて説明する。なお、各図において同一の符号を付したものは同一のものを表している。
【００２５】
（実施の形態１）
図１（ａ）は本発明の実施の形態１による電力線通信システムの全体構成図を示し、（ｂ）はフィードイン３０の回路図を示している。電力線通信システムは、分電盤１０、電力線ダクト２０、フィードイン３０、ＬＡＮ（Local Area Network）４０、電力プラグ５０、ＰＬＣ（Power Line Communications；電力線搬送通信）プラグ６０、端末装置１００、及び照明器具２００を備えている。
【００２６】
分電盤１０は、商用電力を送電する電力線と接続され、商用電力を各電力線７０に分配する。電力線ダクト２０は、単相３線の電力線７０を含み、分電盤１０を介して電力線７０同士が電気的に接続されている。以下、図１（ａ）において上側に示す電力線ダクト２０を電力線ダクト２１とし、下側に示す電力線ダクト２０を電力線ダクト２２とし、電力線ダクトを総称するときは電力線ダクト２０とする。なお、電力線７０として三相３線の電力線を採用してもよい。
【００２７】
図２は、電力線ダクト２０の外観構成図を示し、図３は、電力線ダクト２０の断面図を示している。図２に示すように電力線ダクト２０は、電力線７０の配線方向を長手方向とする細長い形状を有するダクト部２３を備えている。ダクト部２３の下部には、電力線７０の配線方向を長手方向とする開口部２４が形成され、電力プラグ５０及びＰＬＣプラグ６０を着脱可能に接続するためのプラグ接続部７４が設けられている。また、ダクト部２３の端部は開口しており、フィードイン３０を接続するためのフィードイン接続部２５とされている。また、ダクト部２３は、左及び右側の両内壁に電力線７０を構成する電路７１，７２が配設されている。なお、電路７１にはＬ１相又はＬ２相が流れ、電路７２にはＮ相が流れる。
【００２８】
図３に示すように、プラグ接続部７４は、ダクト部２３の左側及び右側の両内壁においてダクト部２３の中心に対向するように形成された一対のホルダ７３１と、開口部２４とを備えている。ホルダ７３１の内部には、電路７１，７２が配設されている。ホルダ７３１の頂部は開口しており、電力プラグ５０及びＰＬＣプラグ６０が備える端子部が挿入され、電力プラグ５０及びＰＬＣプラグ６０と電力線ダクト２０とが電気的に接続される。
【００２９】
図１（ａ）に示すフィードイン３０は、電力線ダクト２０のフィードイン接続部２５に接続され、分電盤１０及び電力線ダクト２０を電気的に接続する。なお、フィードイン３０は、電力線ダクト２０において、ＰＬＣプラグ６０よりも分電盤１０側に接続されている。
【００３０】
図１（ｂ）に示すようにフィードイン３０は、入線部３１、ブロッキングフィルタ３２、ダクト接続部３３、通信部３４、及びＬＡＮ端子３５を備えている。入線部３１は、分電盤１０及びフィードイン３０間の電力線７０が接続される。ブロッキングフィルタ３２は、電路７１及び電路７２間に接続されたノーマルモードコンデンサＣ１と、電路７１，７２上に接続されたコモンモードチョークコイルＬ１，Ｌ２とを備え、分電盤１０へのＰＬＣ信号の漏洩を阻止する。
【００３１】
ダクト接続部３３は、電力線ダクト２０が備えるフィードイン接続部２５と接続され、フィードイン３０の電路７１と電力線ダクト２０の電路７１とを電気的に接続し、フィードイン３０の電路７２と電力線ダクト２０の電路７２とを電気的に接続する。
【００３２】
通信部３４は、電路７１から分岐する分岐電路７１ａ及び電路７２から分岐する分岐電路７２ａに接続され、電力線ダクト２０に流れるＰＬＣ信号をダクト接続部３３を介して受信し、受信したＰＬＣ信号をＬＡＮの通信プロトコルに準拠したＬＡＮ信号に変換し、ＬＡＮ４０を介して他の電力線ダクト２０に接続されたフィードイン３０に送信する。また、通信部３４は、ＬＡＮ４０を流れるＬＡＮ信号を受信し、受信したＬＡＮ信号をＰＬＣ信号に変換して電力線ダクト２０に送信する。
【００３３】
ＬＡＮ端子３５は、１００ＢＡＳＥ−ＴＸや１０ＢＡＳＥ−Ｔ等のＬＡＮケーブル４１が接続されるモジュラージャックから構成されている。
【００３４】
図１（ａ）に示すＬＡＮ４０は、ＬＡＮケーブル４１及びハブ４２を備え、通信部３４から送信されるＬＡＮ信号を他の電力線ダクト２０に接続されたフィードイン３０に送信する。
【００３５】
電力プラグ５０は、電力線ダクト２０のプラグ接続部７４に接続可能な端子部を備え、電力線ダクト２０の底面２４ａの任意の位置に接続可能であり、電力線ダクト２０を流れる電力を照明器具２００に供給する。
【００３６】
ＰＬＣプラグ６０は、電力線ダクト２０のプラグ接続部７４に接続可能な端子部を備え、電力線ダクト２０の任意の位置に接続可能であり、ＬＡＮ入出力部と電力線搬送通信モデムとを備えている。ＬＡＮ入出力部は、１０Ｂａｓｅ−Ｔや１００Ｂａｓｅ−Ｔ等のＬＡＮケーブル４１が接続可能なＬＡＮ端子から構成され、ＬＡＮケーブルを介して端末装置１００と接続される。電力線搬送通信モデムは、ＬＡＮ入出力部により受信されたＬＡＮ信号をＰＬＣ信号に変換して電力線７０に送信すると共に、電力線７０を流れるＰＬＣ信号を受信し、受信したＰＬＣ信号をＬＡＮ信号に変換し、端末装置１００に送信する。
【００３７】
図４は、電力プラグ５０及びＰＬＣプラグ６０の端子部を示した図であり、（ａ）は上面図、（ｂ）はａ−ａ断面図、（ｃ）は前面図を示している。なお、図４（ａ）〜（ｃ）において、ｘは奥行方向、ｙは幅方向、ｚは高さ方向を示している。図４（ａ）〜（ｃ）に示すように端子部は、電力プラグ５０及びＰＬＣプラグ６０の本体部５２の上方向側に配設され、ｚ方向を長手方向とする円筒部５５と、円筒部５５の側面においてｙ，−ｙ方向側に突出する一対の突出部５３と、円筒部５５の側面においてｙ，−ｙ方向側に突出する一対の電極５４とを備えている。突出部５３は平板形状を有し、円筒部５５と一体形成されている。電極５４は金属から構成された平板形状を有する部材から構成され、本体部５２内に配設された電路と電気的に接続されている。
【００３８】
電力線ダクト２０の開口部２４に電極５４及び突出部５３が挿入され、電力プラグ５０及びＰＬＣプラグ６０がｚ方向を中心として９０度回転されると、突出部５３が開口部２４の両脇に設けられた底面２４ａとホルダ７３１との間に嵌合される共に、電極５４がホルダ７３１の内部に挿入され、電力プラグ５０及びＰＬＣプラグ６０が電力線ダクト２０と電気的に接続される。一方、電力線ダクト２０に接続された電力プラグ５０及びＰＬＣプラグ６０がｚ方向を中心として９０度回転されると、突出部５３の嵌合が解除されると共に、電極５４とホルダ７３１との接続が解除され、電力プラグ５０及びＰＬＣプラグ６０を電力線ダクト２０から取り外すことができる。
【００３９】
端末装置１００は、ＬＡＮケーブルを介してＰＬＣプラグ６０に接続されたパーソナルコンピュータから構成され、通信データをＬＡＮの通信プロトコルに準拠したＬＡＮ信号として、他の電力線ダクト２０に接続された端末装置１００に送信すると共に、他の電力線ダクト２０に接続された端末装置１００から送信された通信データを受信する。なお、端末装置１００としては、デジタルカメラ等のパーソナルコンピュータ以外の機器を採用してもよい。また、照明器具２００は、蛍光灯、電球、発光ダイオード等の照明器具から構成される。また、電力プラグ５０において照明器具２００に代えて、テレビ受像器や洗濯機等の家庭用電化製品を接続しても良い。
【００４０】
次に、実施の形態１による電力線通信システムの動作について説明する。電力線ダクト２１に接続された端末装置１００から通信データがＬＡＮ信号により送信されると、電力線ダクト２１に接続されたＰＬＣプラグ６０は、送信されたＬＡＮ信号をＰＬＣ信号に変換して電力線ダクト２１に送信する。電力線ダクト２１に接続されたフィードイン３０は、電力線７０を流れるＰＬＣ信号を受信し、受信したＰＬＣ信号をＬＡＮ信号に変換し、ＬＡＮ４０を介して電力線ダクト２２に接続されたフィードイン３０に送信し、フィードイン３０は受信したＬＡＮ信号をＰＬＣ信号に変換し、電力線ダクト２２へ送信する。電力線ダクト２２に接続されたＰＬＣプラグ６０は、電力線ダクト２２に流れるＰＬＣ信号を受信し、受信したＰＬＣ信号をＬＡＮ信号に変換し、ＬＡＮケーブルを介して端末装置１００に送信する。
【００４１】
このように実施の形態１による電力線通信システムによれば、フィードイン３０は、ＰＬＣプラグ６０よりも分電盤１０側に接続され、分電盤１０側にＰＬＣ信号が漏洩することを阻止するブロッキングフィルタ３２と、ＰＬＣ信号をＬＡＮ４０を介して電力線ダクト２２に接続されたフィードイン３０に送信する通信部３４とを備えている。従って、ＰＬＣ信号が分電盤１０側に漏洩することを阻止しつつ、異なる電力線ダクト２０に接続された端末装置１００間での電力線搬送通信を可能とする電力線通信システムを提供することができる。
【００４２】
（実施の形態２）
次に、本発明の実施の形態２による電力線通信システムについて説明する。図５（ａ）は実施の形態２による電力線通信システムの全体構成図を示し、（ｂ）はフィードイン３０の回路図を示す。実施の形態２による電力線通信システムは、フィードイン３０がツイストペアケーブル８０介して接続されていることを特徴とする。
【００４３】
図５（ｂ）に示すようにフィードイン３０が備える通信部３７は、電路７１から分岐する分岐電路７１ａ上に接続されたコンデンサＣ２と、電路７２から分岐する分岐電路７２ａ上に接続されたコンデンサＣ２とを備え、電力線ダクト２０に流れる電気信号からＰＬＣ信号を抽出してツイストペアケーブル８０に流すと共に、ツイストペアケーブル８０に流れる電気信号からＰＬＣ信号を抽出して電力線ダクト２０に流す。通信端子３６は、ツイストペアケーブル８０を構成する一方の導線と分岐電路７１ａとを電気的に接続すると共に、ツイストペアケーブル８０を構成する他方の導線と分岐電路７２ａとを電気的に接続する。ツイストペアケーブル８０は、一対の導線により構成され、電力線ダクト２１のフィードイン３０と電力線ダクト２２のフィードイン３０とで送受信されるＰＬＣ信号を送信する。
【００４４】
次に、実施の形態２による電力線通信システムの動作について説明する。電力線ダクト２１に接続された端末装置１００から通信データがＬＡＮ信号として送信されると、電力線ダクト２１に接続されたＰＬＣプラグ６０は、送信されたＬＡＮ信号をＰＬＣ信号に変換して電力線ダクト２１に送信する。電力線ダクト２１に接続されたフィードイン３０は、電力線７０を流れるＰＬＣ信号を受信し、受信したＰＬＣ信号をツイストペアケーブル８０を介して電力線ダクト２２に接続されたフィードイン３０に送信し、フィードイン３０は受信したＰＬＣ信号を電力線ダクト２２へ送信する。電力線ダクト２２に接続されたＰＬＣプラグ６０は、電力線ダクト２２に流れるＰＬＣ信号を受信し、受信したＰＬＣ信号をＬＡＮ信号に変換し、ＬＡＮケーブルを介して端末装置１００に送信する。
【００４５】
このように実施の形態２による電力線通信システムによれば、コンデンサＣ２及びツイストペアケーブル８０といった簡便な構成を用いて、異なる電力線ダクトに接続された端末装置１００間で通信データを送受信させることができる。
【００４６】
（実施の形態３）
次に、本発明の実施の形態３による電力線通信システムについて説明する。図６（ａ）は実施の形態３による電力線通信システムの全体構成図を示し、（ｂ）はフィードイン３０の回路図を示す。図７は、実施の形態３による電力線通信システムのフィードイン３０の外観構成図を示し、（ａ）は側面図、（ｂ）は上面図、（ｃ）は入線部３１のｂ−ｂ断面図を示している。なお、図７において、αは上方向、βは幅方向、γは電力線ダクト２０の長手方向を示している。
【００４７】
図７（ｃ）に示すように入線部３１は、本体部３８の分電盤１０側に設けられ、断面がほぼ「コ」の字形状を有し、左右の両側の内壁３１２からβ，−β方向に向けて突出する一対のホルダ３１１が配設されている。ホルダ３１１は、図３に示すホルダ７３１と同一構造を有し、一方のホルダ３１１の内部に電路７１が配設され、他方のホルダ３１１の内部に電路７２が配設されている。また、入線部３１は、−γ方向の端面が開口している。すなわち、入線部３１は、電力線ダクト２０のフィードイン接続部２５と同一構造を有している。
【００４８】
ダクト接続部３３は、本体部３８の電力線ダクト２０側に設けられ、γ方向を長手方向とし、断面がほぼ矩形状の中心部３３３と、中心部３３３の両側壁の上側において、β，−β方向に突出し、かつ、γ方向を長手方向とする平板状の一対のガイド部３３２と、中心部３３３の両側壁の下側において、β，−β方向に突出し、かつ、γ方向を長手方向とする平板状の一対のガイド部３３４と、中心部３３３の両側壁のガイド部３３２とガイド部３３４との間において、β，−β方向に突出し、かつ、γ方向を長手方向とし、かつ、αγ断面が楔形状を有する一対の端子部３３１とを備えている。端子部３３１には、フィードイン３０の電路７１，７２と電力線ダクト２０の電路７１，７２とを電気的に接続するための電極３３１ａが設けられている。そして、フィードイン３０は、ダクト接続部３３が電力線ダクト２０のフィードイン接続部２５に挿入されると、ガイド部３３２が図３に示す電力線ダクト２０のホルダ７３１と底面２４ａとの間に嵌合され、ガイド部３３４が電力線ダクト２０のホルダ７３１と上面との間に嵌合され、端子部３３１がホルダ７３１の内部に嵌合され、電力線ダクト２０とフィードイン３０とが電気的に接続される。通信端子３６は、ツイストペアケーブル８０を金属製のネジ等を用いて取り付け、ツイストペアケーブル８０とフィードイン３０とを電気的に接続する。本体部３８は、分電盤１０側からの電力を電力線ダクト２０に供給するための電力線７０を備えている。
【００４９】
図６（ａ）に示す既存フィードイン１９０は、右側の端面に図７に示すダクト接続部３３と同様のダクト接続部を備え、左側の端面には分電盤１０からの電力線７０を電気的に接続する端子部を備え、分電盤１０からの電力線７０と電力線ダクト２０とを電気的に接続する公知のフィードインである。従って、電力線ダクト２０が既存フィードイン１９０を介して分電盤１０に接続された既設の電力線通信システムに対して、電力線ダクト２０から既存フィードイン１９０を取り外し、図７に示すフィードイン３０を既存フィードイン１９０と電力線ダクト２０との間に取り付けるといった簡便な作業を行うことにより、異なる電力線ダクト２０に接続された端末装置１００間での電力線搬送通信を可能とする電力線通信システムを構築することができる。
【００５０】
（実施の形態４）
次に、本発明の実施の形態４による電力線通信システムについて説明する。図８（ａ）は実施の形態４による電力線通信システムの全体構成図を示し、（ｂ）は実施の形態４によるフィードイン３０の回路図を示す。また、図９は、フィードイン３０の外観構成図を示し、（ａ）は上面図、（ｂ）は側面図を示している。なお、本実施の形態において、実施の形態１〜３と同一のものは同一の符号を付し、説明を省略する。
【００５１】
実施の形態４によるフィードイン３０は、図９に示すように本体部３８の上部にダクト接続部３９が配設されている。ダクト接続部３９は、図４に示す電力プラグ５０及びＰＬＣプラグ６０の端子部と同一構造を有し、図２に示すプラグ接続部７４と接続されることで、フィードイン３０と電力線ダクト２０とを電気的に接続する。
【００５２】
すなわち、電力線ダクト２０の開口部２４に電極５４及び突出部５３が挿入され、フィードイン３０がα方向を中心として９０度回転されると、突出部５３が開口部２４の両脇に設けられた底面２４ａとホルダ７３１との間に嵌合されると共に、電極５４がホルダ７３１の内部に挿入され、フィードイン３０が電力線ダクト２０と電気的に接続される。一方、電力線ダクト２０に接続されたフィードイン３０がα方向を中心として９０度回転されると、突出部５３の嵌合が解除されると共に、電極５４とホルダ７３１との接続が解除され、フィードイン３０を電力線ダクト２０から取り外すことができる。
【００５３】
このように、実施の形態４による電力線通信システムによれば、フィードイン３０は、電力線ダクト２０が備えるプラグ接続部７４に着脱可能なダクト接続部３９を備えるため、電力線ダクト２０のプラグ接続部７４にフィードイン３０を容易に接続することが可能となり、異なる電力線ダクト２０に接続された端末装置１００間での電力線搬送通信を可能とする電力線通信システムを構築することができる。また、フィードイン３０を電力線ダクト２０の底面２４ａに取り付けることが可能となるため、電力線ダクト２０と分電盤１０との間にスペースがない場合であっても、フィードイン３０を電力線ダクト２０に接続することができる。
【００５４】
（実施の形態５）
次に、本発明の実施の形態５による電力線通信システムについて説明する。図１０（ａ）は実施の形態５による電力線通信システムの全体構成図を示し、（ｂ）はフィードイン３０の回路図を示す。実施の形態５による電力線通信システムは、フィードイン３０を分電盤１０を収納する筐体１１の内部に配設したことを特徴とする。
【００５５】
分電盤１０は、筐体１１と、分岐ブレーカ１２とを備えている。電力線ダクト２１に接続された分岐ブレーカ１２は、電力会社から供給される電力を分配する電力線７０に接続され、電力線ダクト２１へ電力を供給したり遮断したりする。電力線ダクト２２に接続された分岐ブレーカ１２は、電力会社から供給される電力を分配する電力線７０に接続され、電力線ダクト２２へ電力を供給したり遮断したりする。
【００５６】
図１１は、実施の形態５によるフィードイン３０の外観構成図を示し、（ａ）は側面図、（ｂ）は上面図を示している。フィードイン３０の右端には、分岐ブレーカ１２及びフィードイン３０間の電力線７０をネジ止めすることで、分岐ブレーカ１２とフィードイン３０とを電気的に接続する端子部３９３が配設されている。フィードイン３０の左端の上側には、電力線ダクト２０及びフィードイン３０間の電力線７０をネジ止めすることで、フィードイン３０と電力線ダクト２０とを電気的に接続する端子部３９１が配設されている。フィードイン３０の左端の下側には、フィードイン３０と他の電力線ダクト２０に接続されたフィードイン３０とを接続するツイストペアケーブル８０をネジ止めすることで、フィードイン３０同士を電気的に接続する端子部３９２が配設されている。
【００５７】
そして、図１０（ｂ）に示すように、フィードイン３０及びツイストペアケーブル８０は筐体１１の内部に配設されている。そのため、フィードイン３０及びツイストペアケーブル８０の設置スペースを節約することができると共に、ツイストペアケーブル８０の距離が短くなり、通信の信頼性を高めることができる。
【００５８】
（実施の形態６）
次に、本発明の実施の形態６による電力線通信システムについて説明する。図１２（ａ）は実施の形態６による電力線通信システムの全体構成図を示し、（ｂ）は通信プラグ９０の回路図を示す。実施の形態６による電力線通信システムは、ツイストペアケーブル８０を通信プラグ９０を用いて接続したこと特徴とする。
【００５９】
通信プラグ９０は、電力プラグ５０及びＰＬＣプラグ６０と同様の接続部を備え、電力線ダクト２０の底面２４ａの任意の位置に着脱可能であり、電力線ダクト２０に流れるＰＬＣ信号を、ツイストペアケーブル８０を介して他の電力線ダクト２０に接続された通信プラグ９０に送信する。
【００６０】
また、通信プラグ９０は、図１２（ｂ）に示すように、通信部９２、及び通信端子９１を備えている。通信部９２は、電路７１から分岐する分岐電路７１ａ上に接続されたコンデンサＣ２と、電路７２から分岐する分岐電路７２ａ上に接続されたコンデンサＣ２とを備え、電力線ダクト２０に流れる電気信号からＰＬＣ信号を抽出してツイストペアケーブル８０に流すと共に、ツイストペアケーブル８０に流れる電気信号からＰＬＣ信号を抽出して電力線ダクト２０に流す。通信端子９１は、ツイストペアケーブル８０を構成する一方の導線と分岐電路７１ａとを電気的に接続すると共に、ツイストペアケーブル８０を構成する他方の導線と分岐電路７２ａとを電気的に接続する。
【００６１】
次に、実施の形態６による電力線通信システムの動作について説明する。電力線ダクト２１に接続された端末装置１００から通信データがＬＡＮ信号として送信されると、電力線ダクト２１に接続されたＰＬＣプラグ６０は、送信されたＬＡＮ信号をＰＬＣ信号に変換して電力線ダクト２１に送信する。電力線ダクト２１に接続された通信プラグ９０は、電力線７０を流れるＰＬＣ信号を受信し、受信したＰＬＣ信号をツイストペアケーブル８０を介して電力線ダクト２２に接続された通信プラグ９０に送信し、通信プラグ９０は受信したＰＬＣ信号を電力線ダクト２２へ送信する。電力線ダクト２２に接続されたＰＬＣプラグ６０は、電力線ダクト２２に流れるＰＬＣ信号を受信し、受信したＰＬＣ信号をＬＡＮ信号に変換し、ＬＡＮケーブルを介して端末装置１００に送信する。
【００６２】
ここで、フィードイン３０はＰＬＣプラグ６０及び通信プラグ９０よりも分電盤１０側に接続され、分電盤１０側にＰＬＣ信号が漏洩することを阻止するブロッキングフィルタ３２を備えている。従って、ＰＬＣ信号が分電盤１０側に漏洩することを阻止しつつ、異なる電力線ダクト２０に接続された端末装置１００間での電力線搬送通信を可能とする電力線通信システムを提供することができる。
【００６３】
（実施の形態７）
次に、本発明の実施の形態７による電力線通信システムについて説明する。図１３（ａ）は実施の形態７による電力線通信システムの全体構成図を示し、（ｂ）は通信プラグ９０の回路図を示す。
【００６４】
実施の形態７による通信プラグ９０ａは、図１３（ｂ）に示すように通信部９２と通信端子９１との間にインピーダンス変換部９３が接続されている。インピーダンス変換部９３は、磁気的に接続された２つの巻線Ｌ３，Ｌ４からなるトランスから構成され、電力線ダクト２０の電力線７０とツイストペアケーブル８０とのインピーダンスを整合させる。ここで、巻線Ｌ３，Ｌ４の巻数は、電力線ダクト２０の電力線７０とツイストペアケーブル８０とのインピーダンスを整合させることが可能となるような巻数が採用されている。
【００６５】
このように、実施の形態７による電力線通信システムによれば、ツイストペアケーブル８０と電力線ダクト２０の電力線７０とのインピーダンスを整合させることが可能となり、通信の信頼性をより高めることができる。
【００６６】
なお、上記実施の形態２〜５においては、ツイストペアケーブル８０を採用したが、これに限定されず、実施の形態１のようにＬＡＮ４０を採用してもよい。この場合、実施の形態２〜５におけるフィードイン３０を実施の形態１のフィードイン３０と同一の回路構成にすればよい。
【図面の簡単な説明】
【００６７】
【図１】（ａ）は実施の形態１による電力線通信システムの全体構成図を示し、（ｂ）はフィードインの回路図を示している。
【図２】電力線ダクトの外観構成図を示し、図３は、電力線ダクトが備えるプラグ接続部の部分断面図を示している。
【図３】電力線ダクトが備えるプラグ接続部の部分断面図を示している。
【図４】電力プラグ及びＰＬＣプラグの端子部を示した図であり、（ａ）は上面図、（ｂ）はａ−ａ断面図、（ｃ）は前面図を示している。
【図５】（ａ）は実施の形態２による電力線通信システムの全体構成図を示し、（ｂ）はフィードインの回路図を示す。
【図６】（ａ）は実施の形態３による電力線通信システムの全体構成図を示し、（ｂ）はフィードインの回路図を示す。
【図７】実施の形態３による電力線通信システムのフィードインの外観構成図を示し、（ａ）は側面図、（ｂ）は上面図、（ｃ）は入線部のｂ−ｂ断面図を示している。
【図８】（ａ）は実施の形態４による電力線通信システムの全体構成図を示し、（ｂ）はフィードインの回路図を示す。
【図９】フィードインの外観構成図を示し、（ａ）は上面図、（ｂ）は側面図を示している。
【図１０】（ａ）は実施の形態５による電力線通信システムの全体構成図を示し、（ｂ）はフィードインの回路図を示す。
【図１１】実施の形態５によるフィードインの外観構成図を示し、（ａ）は側面図、（ｂ）は上面図を示している。
【図１２】（ａ）は実施の形態６による電力線通信システムの全体構成図を示し、（ｂ）は通信プラグの回路図を示す。
【図１３】（ａ）は実施の形態７による電力線通信システムの全体構成図を示し、（ｂ）は通信プラグの回路図を示す。
【符号の説明】
【００６８】
１０  分電盤
２０，２１，２２  電力線ダクト
３０  フィードイン
３１  入線部
３２  ブロッキングフィルタ
３３  ダクト接続部
３４  通信部
３５  ＬＡＮ端子
４１  ＬＡＮケーブル
４２  ハブ
５０  電力プラグ
６０  ＰＬＣプラグ
７０  電力線
７１，７２，７５  電路
７１ａ  分岐電路
７２ａ  分岐電路
７４  プラグ接続部
８０  ツイストペアケーブル
１９０  既存フィードイン
９０，９０ａ  通信プラグ
９１  通信端子
９２  通信部
９３  インピーダンス変換部
１００  端末装置
２００  照明器具
【図１】
2008182634.tif 000003
【図２】
2008182634.tif 000004
【図３】
2008182634.tif 000005
【図４】
2008182634.tif 000006
【図５】
2008182634.tif 000007
【図６】
2008182634.tif 000008
【図７】
2008182634.tif 000009
【図８】
2008182634.tif 000010
【図９】
2008182634.tif 000011
【図１０】
2008182634.tif 000012
【図１１】
2008182634.tif 000013
【図１２】
2008182634.tif 000014
【図１３】
2008182634.tif 000015